(57)【要約】【課題】隣り合う端子部材間の間隔を狭くすることができ、しかも端子部材の結線部とケーブルの芯線とを容易に半田付けすることができるコネクタの提供。【解決手段】絶縁性のハウジングが、端子部材１１等を備えた第１ハウジング部１と、この第１ハウジング部１に装着され、端子部材１１等の結線部１２等が配置される第２ハウジング部２とから成り、第２ハウジング部２は、内底部及びこの内底部の対向側に形成される開放部を有しケーブル３０等の芯線が収容される収容部７等と、これらの収容部７等の間を仕切る仕切り部７ａ等とを有し、端子部材１１等の結線部１２等を、収容部７等の内底部に保持されたケーブル３０等の芯線を挟んで内底部とは反対側に配置した構成にしてある。【選択図】図５
2010257903.tif 000002
【特許請求の範囲】
【請求項１】
絶縁性のハウジングと、このハウジングに保持される複数の端子部材と、これらの端子部材に接続される芯線をそれぞれ有する複数のケーブルとを備え、上記端子部材は、相手側コネクタと電気的に接触する接触部と、この接触部に連設され上記ケーブルの芯線に半田付けされる結線部とを有するコネクタであって、
上記ハウジングは、内底部及びこの内底部の対向側に形成される開放部を有し上記ケーブルの上記芯線が収容される複数の収容部と、隣接する上記収容部間を仕切る仕切り部とを有し、
上記端子部材の上記結線部を、上記収容部の上記内底部に保持された上記ケーブルの上記芯線を挟んで上記内底部とは反対側に配置したことを特徴とするコネクタ。
【請求項２】
請求項１に記載のコネクタにおいて、
上記端子部材の上記結線部によって上記ケーブルの上記芯線を上記収容部の上記内底部に押圧するように、上記収容部に対する上記結線部の配設位置を設定したことを特徴とするコネクタ。
【請求項３】
請求項１に記載のコネクタにおいて、
上記端子部材の上記結線部と上記収容部の組み合わせを複数組並設し、かつ、上下に配設し、上に並設された隣り合う組を仕切る上記仕切り部に対向する位置に、下に並設された上記組のそれぞれを配置したことを特徴とするコネクタ。
【請求項４】
請求項３に記載のコネクタにおいて、
上記複数組のうちの上の組の収容部と下の組の収容部とを、上記端子部材の延設方向において前後にずらして配置したことを特徴とするコネクタ。
【請求項５】
請求項１に記載のコネクタにおいて、
上記ケーブルの上記芯線が半田付けされない上記端子部材の上記結線部が配置される上記収容部を、樹脂によって埋設したことを特徴とするコネクタ。
【請求項６】
請求項１〜５のいずれか１項に記載のコネクタにおいて、
上記ハウジングは、上記端子部材を保持する第１ハウジング部と、この第１ハウジング部に装着され、上記収容部及び上記仕切り部を有する第２ハウジング部とから成ることを特徴とするコネクタ。
【請求項７】
請求項６に記載のコネクタにおいて、
上記第２ハウジング部は、上記第１ハウジング部に係合する係合部を有することを特徴とするコネクタ。
【発明の詳細な説明】
【技術分野】
【０００１】
本発明は、相手側コネクタの端子部材と電気的に接触する接触部を有する端子部材を備え、この端子部材とケーブルの芯線とを半田によって結線したコネクタに関する。
【背景技術】
【０００２】
この種のコネクタは特許文献１に開示されている。この従来のコネクタは、ケーブルの芯線が載置される結線部をハウジングに保持される端子部材に設け、この結線部を芯線の径方向に張り出すように拡開させた形状にし、芯線と、結線部上の芯線の側方に突出する部分との間に形成される半田付け領域において、端子部材の結線部とケーブルの芯線とを半田付けする構成となっている。
【先行技術文献】
【特許文献】
【０００３】
【特許文献１】特開２００９−９８９５号公報
【発明の概要】
【発明が解決しようとする課題】
【０００４】
上述した従来技術は、端子部材に設けた結線部がケーブルの芯線の径方向に張り出す構成となっていることから、隣り合う端子部材の間隔を小さくする狭ピッチ化には基本的に対応し難い。
【０００５】
なお、上述した従来技術において、狭ピッチ化に対応させようとして端子部材の結線部の張り出し部分を小さくすると、結線部とケーブルの芯線との間の半田付け領域の確保が難しくなり、半田付けが困難となりやすい。また、仮に半田付けできた場合であっても、ケーブルの芯線の裏側に半田付け箇所が隠れるので、半田付けの良否を確認する半田付け状態の検査は実施が難しくなる。
【０００６】
本発明は、上述した従来技術における実状からなされたもので、その目的は、隣り合う端子部材間の間隔を狭くすることができ、しかも端子部材の結線部とケーブルの芯線とを容易に半田付けすることができるコネクタを提供することにある。
【課題を解決するための手段】
【０００７】
この目的を達成するために、本発明に係るコネクタは、絶縁性のハウジングと、このハウジングに保持される複数の端子部材と、これらの端子部材に接続される芯線をそれぞれ有する複数のケーブルとを備え、上記端子部材は、相手側コネクタと電気的に接触する接触部と、この接触部に連設され上記ケーブルの芯線に半田付けされる結線部とを有するコネクタであって、上記ハウジングは、内底部及びこの内底部の対向側に形成される開放部を有し上記ケーブルの上記芯線が収容される複数の収容部と、隣接する上記収容部間を仕切る仕切り部とを有し、上記端子部材の上記結線部を、上記収容部の上記内底部に保持された上記ケーブルの上記芯線を挟んで上記内底部とは反対側に配置したことを特徴としている。
【０００８】
このように構成した本発明は、端子部材の結線部を、ケーブルの芯線を挟んでハウジングの収容部の内底部と反対側に配置してあり、結線部の形状をケーブルの芯線の保持を可能とするような特別な形状に設定することなく、ケーブルの芯線の保持をハウジングの収容部を介して行なうことができる。このように結線部の形状を特別な形状とする必要がないので、結線部の形状を線形状に維持することができ、これにより結線部の間隔を狭くすることが可能となる。すなわち、結線部に連設される接触部をそれぞれ有する複数の端子部材のうちの隣り合う端子部材の間隔を狭くすることが可能となる。また、端子部材の結線部は、ハウジングの収容部の内底部に対向する開放部側に位置し、ケーブルの芯線は、結線部と収容部の内底部との間に位置するので、端子部材の結線部がケーブルの芯線に隠れることがなく、収容部の開放部側から端子部材の結線部と、ケーブルの芯線とを容易に半田付けすることができる。
【０００９】
また、本発明に係るコネクタは、上記発明において、上記端子部材の上記結線部によって上記ケーブルの上記芯線を上記収容部の上記内底部に押圧するように、上記収容部に対する上記結線部の配設位置を設定したことを特徴としている。このように構成した本発明は、半田付けに際し、端子部材の結線部と収容部の内底部とによってケーブルの芯線を挟持させることができ、芯線を動かないように位置決めできる。これにより、半田付けを容易に行なうことができるとともに、精度の良い半田付け部を形成することができる。
【００１０】
また、本発明に係るコネクタは、上記発明において、上記端子部材の上記結線部と上記収容部の組み合わせを複数組並設し、かつ、上下に配設し、上に並設された隣り合う組を仕切る上記仕切り部に対向する位置に、下に並設された上記組のそれぞれを配置したことを特徴としている。このように構成した本発明は、上下のそれぞれに配置された複数の結線部の並設方向の間隔を狭くすることが可能となる。これにより、結線部の並設方向に沿うハウジングの幅方向の寸法を小さくすることができる。
【００１１】
また、本発明に係るコネクタは、上記発明において、上記複数組のうちの上の組の収容部と下の組の収容部とを、上記端子部材の延設方向において前後にずらして配置したことを特徴としている。このように構成した本発明は、上下に配置される収容部のそれぞれの開放部を十分に露出させることができ、結線部と芯線との半田付けが容易になり、しかも精度良く行なうことができる。
【００１２】
また、本発明に係るコネクタは、上記発明において、上記ケーブルの上記芯線が半田付けされない上記端子部材の上記結線部が配置される上記収容部を、樹脂によって埋設したことを特徴としている。このように構成した本発明は、接続されるべきでない結線部と芯線の半田付けを埋設された樹脂によって防ぎ、誤配線を防止することができる。
【００１３】
また、本発明に係るコネクタは、上記発明において、上記ハウジングは、上記端子部材を保持する第１ハウジング部と、この第１ハウジング部に装着され、上記収容部及び上記仕切り部を有する第２ハウジング部とから成ることを特徴としている。このように構成した本発明は、多品種のコネクタの製作を考えた場合、端子部材を保持する第１ハウジング部は、共通部材とすることができ、変更させる部材はそれぞれの品種のケーブルの配線仕様に応じた第２ハウジング部のみとすることができるので、このような多品種の製作を簡単に行なうことができる。
【００１４】
また、本発明に係るコネクタは、上記発明において、上記第２ハウジング部は、上記第１ハウジング部に係合する係合部を有することを特徴としている。このように構成した本発明は、係合部を介して第２ハウジング部を第１ハウジング部に一体に固定することができる。
【発明の効果】
【００１５】
本発明に係るコネクタによれば、ハウジングは、内底部及びこの内底部の対向側に形成される開放部を有しケーブルの芯線が収容される複数の収容部と、隣接する収容部間を仕切る仕切り部とを有し、端子部材の結線部を、収容部の内底部に保持された芯線を挟んで内底部とは反対側に配置したことから、結線部の形状をケーブルの芯線の保持を可能とするような特別な形状とする必要がなく、結線部の形状を線形状に維持することができ、これにより結線部の間隔を狭くすることが可能となる。すなわち、複数の端子部材のうちの隣り合う端子部材の間隔を狭くすることが可能となり、従来から要望されていた接触部の狭ピッチ化を実現させることができる。また、端子部材の結線部がケーブルの芯線に隠れることがなく、収容部の開放部側から端子部材の結線部とケーブルの芯線とを容易に半田付けすることができる。これに伴って、従来では困難であった半田付け状態の検査を収容部の開放部側から容易に実施することができる。
【図面の簡単な説明】
【００１６】
【図１】本発明に係るコネクタの一実施形態に備えられるハウジングを示す斜視図である。
【図２】図１の背面側から見た斜視図である。
【図３】図１に示すハウジングの正面図である。
【図４】図１に示すハウジングの側面図である。
【図５】図１に示すハウジングの背面図である。
【図６】図１に示すハウジングの裏面図である。
【図７】図１に示すハウジングの平面図である。
【図８】本実施形態に備えられる第２ハウジング部を第１ハウジング部に装着する前の状態を示す斜視図である。
【図９】本実施形態に備えられる第２ハウジング部の正面図である。
【図１０】本実施形態に備えられる第２ハウジング部の背面図である。
【図１１】本実施形態に備えられる端子部材の支持形態を説明する図である。
【図１２】端子部材の結線部にケーブルの芯線を配置し、半田付けされる前の状態を示す斜視図である。
【図１３】端子部材の結線部にケーブルの芯線を半田付けした状態を示す斜視図である。
【図１４】図１３の背面側から見た拡大図である。
【図１５】本実施形態の外殻構成を示す斜視図である。
【図１６】本実施形態が装着される相手側コネクタを示す斜視図である。
【発明を実施するための形態】
【００１７】
以下、本発明に係るコネクタの実施の形態を図に基づいて説明する。
【００１８】
図１は本発明に係るコネクタの一実施形態に備えられるハウジングを示す斜視図、図２は図１の背面側から見た斜視図である。図３〜７は図１に示すハウジングの説明図で、図３は正面図、図４は側面図、図５は背面図、図６は裏面図、図７は平面図である。図８は本実施形態に備えられる第２ハウジング部を第１ハウジング部に装着する前の状態を示す斜視図、図９，１０は本実施形態に備えられる第２ハウジング部の説明図で、図９は正面図、図１０は背面図である。図１１は本実施形態に備えられる端子部材の支持形態を説明する図、図１２は端子部材の結線部にケーブルの芯線を配置し、半田付けされる前の状態を示す斜視図、図１３は端子部材の結線部にケーブルの芯線を半田付けした状態を示す斜視図、図１４は図１３の背面側から見た拡大図、図１５は本実施形態の外殻構成を示す斜視図である。
【００１９】
［本実施形態の構成］
本実施形態に係るコネクタは、絶縁性のハウジング例えば図１，２等に示すように、それぞれ絶縁性の第１ハウジング部１、及び第１ハウジング部に装着される第２ハウジング部２から成るハウジングと、第１ハウジング部１に保持される複数、例えば図１１等に示すようにそれぞれ複数配列されて成る第１端子部材１１、第２端子部材１３、第３端子部材１５、及び第４端子部材１７と、これらの第１〜第４端子部材１１，１３，１５，１７に接続される芯線をそれぞれ有する複数のケーブル、例えば図１２等に示すように、ケーブルカバー２９内に収納される第１ケーブル３０、第２ケーブル３１、第３ケーブル３２、第４ケーブル３３とを備えている。
【００２０】
第１ハウジング部１は、図１〜４に示すように、後述の相手側コネクタ４０に装着される突出部３を備えている。この突出部３の開口部４内の下側位置には図３に示すように、後述の相手側コネクタ４０の第１外部端子部材４３と電気的に接触する第１接触部５が配列されている。また、開口部４内の上側位置には、後述の相手側コネクタ４０の第２外部端子部材４４と電気的に接触する第２接触部６が配列されている。第１接触部５は、図６，１１に示すように、第１端子部材１１と第２端子部材１３とによって形成されている。また、第２接触部６は、図７，１１に示すように、第３端子部材１５と第４端子部材１７とによって形成されている。図３に示すように、隣り合う第１接触部５間に位置する部分に対向するように、第２接触部６のそれぞれを配置してあり、隣り合う第２接触部６間に位置する部分に対向するように、第１接触部５のそれぞれを配置してある。
【００２１】
また、図１１に示すように、第１接触部５を形成する第１端子部材１１と第２端子部材１３は、第１ハウジング部１内の２箇所の支持部において、すなわち第１支持部２４ａと第２支持部２４ｂにおいて支持されている。同様に、第２接触部６を形成する第３端子部材１５と第４端子部材１７は、第１ハウジング部１内の２箇所の支持部において、すなわち第１支持部２５ａと第２支持部２５ｂにおいて支持されている。
【００２２】
本実施形態に係るコネクタのハウジングは、内底部及び内底部の対向側に形成される開放部を有しケーブルの芯線が収容される収容部と、隣接する収容部間を仕切る仕切り部とを有している。これらの収容部及び仕切り部は、例えば第２ハウジング部２に設けてある。
【００２３】
すなわち、図８〜１０に示すように、第２ハウジング部２は、第１端子部材１１及び第２端子部材１３に関連して設けた下側の収容部と、第３端子部材１５及び第４端子部材１７に関連して設けた上側の収容部とを備えている。下側の収容部は、上下２段に形成され、この下側の収容部の上段には第１端子部材１１に関連して設けられ、上方に内底部を有し、この内底部に対向する下方に開放部を有する第１収容部７が配置され、下側の収容部の下段には第２端子部材１３に関連して設けられ、上方に内底部を有し、この内底部に対向する下方に開放部を有する第２収容部８が配置されている。下側の収容部の上段に設けられた第１収容部７には、図１１に示す第１端子部材１１の第１結線部１２が挿通する穴１１ａを形成してあり、下側の収容部の下段に設けられた第２収容部８には、図１１に示す第２端子部材１３の第２結線部１４が挿通する穴１３ａを形成してある。
【００２４】
隣り合う第１収容部７間は第１仕切り部７ａによって仕切られ、隣り合う第２収容部８間は第２仕切り部８ａによって仕切られている。また、図６に示すように、第１収容部７と第２収容部８とは、第１，第２端子部材１１，１３の延設方向において前後にずらして配置してある。すなわち、第１収容部７を第１ハウジング部１の突出部３から離れた位置に配置してあり、第２収容部８を第１ハウジング部１の突出部３に近づく位置に配置してある。
【００２５】
上述と同様に、図８〜１０に示すように、第２ハウジング部２の第３端子部材１５及び第４端子部材１７に関連して設けた上側の収容部は、上下２段に形成され、この上側の収容部の下段には第３端子部材１５に関連して設けられ、下方に内底部を有し、この内底部に対向する上方に開放部を有する第３収容部９が配置され、上側の収容部の上段には、第４端子部材１７に関連して設けられ、下方に内底部を有し、この内底部に対向する上方に開放部を有する第４収容部１０が配置されている。上側の収容部の下段に設けられた第３収容部９には、図１１に示す第３端子部材１３の第３結線部１６が挿通する穴１５ａを形成してあり、上側の収容部の上段に設けられた第４収容部１０には、図１１に示す第４端子部材１７の第４結線部１８が挿通する穴１７ａを形成してある。
【００２６】
隣り合う第３収容部９間は第３仕切り部９ａによって仕切られ、隣り合う第４収容部１０間は第４仕切り部１０ａによって仕切られている。また、図１，２，７に示すように、第３収容部９と第４収容部１０とは、第３，第４端子部材１５，１７間の延設方向において前後にずらして配置してある。すなわち、第３収容部９を第１ハウジング部１の突出部３から離れた位置に配置してあり、第４収容部１０を第１ハウジング部１の突出部３に近づく位置に配置してある。
【００２７】
また、第２ハウジング部２は、第１ハウジング部１に係合する係合部を備えている。すなわち、第２ハウジング部２の下側の収容部の側部付近には図６等に示すように、第１ハウジング部１の段部２１ａに係合する係合部、例えばフック部２０ａと、第１ハウジング部１の段部２１ｂに係合する係合部、例えばフック部２０ｂとを備えている。また、第２ハウジング部２の上側の収容部の側部付近には図７等に示すように、第１ハウジング部１の段部２３ａに係合する係合部、例えばフック部２２ａと、第１ハウジング部１の段部２３ｂに係合する係合部、例えばフック部２２ｂとを備えている。
【００２８】
また、本実施形態に係るコネクタは、端子部材の結線部を、収容部の内底部に配置されたケーブルの芯線を挟んで内底部とは反対側に配置してある。
【００２９】
すなわち、図１２〜１４に示す第１ケーブル３０、及び第２ケーブル３１の芯線のそれぞれは、第２ハウジング部２の下側の収容部の上段を形成する第１収容部７内において、第１端子部材１１の第１結線部１２と、第１収容部７の内底部との間に配置され、例えば第１結線部１２によって内底部に押圧されている。つまり、第１結線部１２を、第１収容部７の内底部に保持された第１ケーブル３０の芯線、及び第２ケーブル３１の芯線を挟んで、内底部とは反対側の開放部側に配置してある。
【００３０】
同様に、第３ケーブル３２、及び第４ケーブル３３の芯線のそれぞれは、第２ハウジング部２の上側の収容部の上段を形成する第４収容部１０内において、第４端子部材１７の第４結線部１８と、第４収容部１０の内底部との間に配置され、例えば第４結線部１８によって内底部に押圧されている。すなわち、第４結線部１８を、第４収容部１０の内底部に保持された第３ケーブル３２の芯線、及び第４ケーブル３３の芯線を挟んで、内底部とは反対側の開放部側に配置してある。
【００３１】
上述したように、第１端子部材１１の第１結線部１２と、第２ハウジング部２の下側の収容部の上段を形成する第１収容部７との組み合わせを複数組並設してあり、第２端子部材１３の第２結線部１４と、第２ハウジング部２の下側の収容部の下段を形成する第２収容部８との組み合わせを複数組並設してある。また、図５に示すように、上に並設された隣り合う第１結線部１２と第１収容部７の組を仕切る第１仕切り部７ａに対向する位置に、下に並設された第２結線部１４と第２収容部８との組のそれぞれを配置してある。
【００３２】
同様に、第３端子部材１５の第３結線部１６と、第２ハウジング部２の上側の収容部の下段を形成する第３収容部９との組み合わせを複数組並設してあり、第４端子部材１７の第４結線部１８と、第２ハウジング部２の上側の収容部の上段を形成する第４収容部１０との組み合わせを複数組並設してある。また、同図５に示すように、上に並設された隣り合う第４結線部１８と第４収容部１０の組を仕切る第４仕切り部１０ａに対向する位置に、下に並設された第３結線部１６と第３収容部９との組のそれぞれを配置してある。
【００３３】
図１３，１４に示すように、第１ケーブル３０の芯線と第１端子部材１１の第１結線部１２とは、第１収容部７の開放部から半田付けされ、第１収容部７の開放部側に露出する第１半田付け部３４によって接続されている。また、第２ケーブル３１の芯線と第１端子部材１１の第１結線部１２も、第１収容部７の開放部から半田付けされ、第１収容部７の開放部側に露出する第２半田付け部３５によって接続されている。また、第３ケーブル３２の芯線と第４端子部材１７の第４結線部１８とは、第４収容部１０の開放部から半田付けされ、第４収容部１０の開放部側に露出する第３半田付け部３６によって接続されている。また、第４ケーブル３３の芯線と第４端子部材１７の第４結線部１８も、第４収容部１０の開放部から半田付けされ、第４収容部１０の開放部側に露出する第４半田付け部３７によって接続されている。
【００３４】
なお、ケーブルの芯線が半田付けされない端子部材の結線部が配置される収容部には、図１４に示すように樹脂３９ａ，３９ｂ等が埋設され、ケーブルの芯線の収納ができないように形成してある。
【００３５】
図１３，１４に示すように第１，第４端子部材１１，１７の第１，第４結線部１２，１８のそれぞれと、第１〜第４ケーブル３０〜３３の芯線のそれぞれとの第１〜第４半田付け部３４〜３７部分は、透明の樹脂で被覆され、さらに図１５に示すように例えば塩化ビニル樹脂のカバー３８で被覆される。
【００３６】
［相手側コネクタ］
図１６は本実施形態が装着される相手側コネクタを示す斜視図である。この図１６に示すように、上述した本実施形態に係るコネクタが装着される相手側コネクタ４０は、本実施形態に係るコネクタの図１等に示す突出部３が嵌入される開口部４１を有している。また、この開口部４１内に、本実施形態に係るコネクタの図３に示す開口部４内に挿入可能な保持部４２を備えている。この保持部４２の下側部分には、本実施形態に係るコネクタの図３に示す第１接触部５が電気的に接触可能な第１外部端子部材４３が配置され、保持部４２の上側部分には、本実施形態に係るコネクタの図３に示す第２接触部６が電気的に接触可能な第２外部端子部材４４が配置されている。このような相手側コネクタ４０は、例えば電子機器等に内蔵されている。
【００３７】
［本実施形態の動作］
図１６に示す相手側コネクタ４０の開口部４１に、本実施形態に係るコネクタの突出部３を嵌入させることにより、相手側コネクタ４０の保持部４２が本実施形態の開口部４内に挿入される。これに伴って相手側コネクタ４０の第１外部端子部材４３に本実施形態に係るコネクタの第１接触部５が接触し、相手側コネクタ４０の第２外部端子部材４４に本実施形態に係るコネクタの第２接触部６が接触する。これにより、本実施形態に係るコネクタと、相手側コネクタ４０との間の信号の送受信が可能となる。
【００３８】
［本実施形態の効果］
上述のように構成した本実施形態に係るコネクタによれば、第１，第４端子部材１１，１７の第１，第４結線部１２，１８のそれぞれを、第１〜第４ケーブル３０〜３３の芯線のうちの該当するものを挟んで第２ハウジング部２の第１，第４収容部７，１０の内底部と反対側に配置してあり、第１，第４結線部１２，１８の形状を、半田を保持できるような特別な形状に設定することなく単純な線形状のままにして、第１〜第４ケーブル３０〜３３の芯線の保持を、第２ハウジング部２の第１，第４収容部７，１０の内底部を介して行なうことができる。このように第１，第４結線部１２，１８の形状を特別な形状とする必要がないので、第１，第４結線部１２，１８の間隔を狭くすることが可能となる。すなわち、第１，第４結線部１２，１８にそれぞれ連設される第１接触部５を形成する第１端子部材１１、第２接触部６を形成する第４端子部材１７のうちの、それぞれ隣り合う端子部材間の間隔を狭くすることが可能となる。これにより、第１接触部５及び第２接触部６の狭ピッチ化が可能となる。
【００３９】
なお、上記実施形態は図１３，１４に示したように、第１ケーブル３０の芯線及び第２ケーブル３１の芯線を第２ハウジング部２の第１収容部７に収容させ、それぞれ第１半田付け部３４と第２半田付け部３５とによって第１端子部材１１の第１結線部１２に結線し、また、第３ケーブル３２の芯線及び第４ケーブル３３の芯線を第２ハウジング部２の第４収容部１０に収容させ、それぞれ第３半田付け部３６と第４半田付け部３７とによって第４端子部材１７の第４結線部１８に結線してある。しかし、本発明は、このような結線態様に限られないことはもちろんである。例えば、第２収容部８に樹脂を埋設しない状態において、第１ケーブル３０の芯線あるいは第２ケーブル３１の芯線を第２ハウジング部２の第２収容部８に収容させ、第２端子部材１３の第２結線部１４と半田付けして結線してもよく、また、第３収容部９に樹脂を埋設しない状態において、第３ケーブル３２の芯線あるいは第４ケーブル３３の芯線を第２ハウジング部２の第３収容部９に収容させ、第３端子部材１５の第３結線部１６と半田付けして結線してもよい。このように第１〜第４端子部材１１，１３，１５，１７の第１〜第４結線部１２，１４，１６，１８と、第１〜第４ケーブル３０〜３３の芯線のそれぞれとの結線態様は、種々の組み合わせとすることができる。
【００４０】
また、上記実施形態は、第１，第４端子部材１１，１７の第１，第４結線部１２，１８が、第２ハウジング部２の第１，第４収容部７，１０の内底部に対向する開放部側に位置し、第１〜第４ケーブル３０〜３３の芯線は、第１，第４結線部１２，１８と、第１，第４収容部７，１０の内底部との間に位置するので、第１，第４端子部材１１，１７が第１〜第４ケーブル３０〜３３の芯線に隠れることがなく、第１，第４収容部７，１０の開放部側から第１，第４端子部材１１，１７の第１，第４結線部１２，１８と、第１〜第４ケーブル３０〜３３の芯線とを容易に半田付けすることができる。これに伴って、半田付け状況の良否の検査を第１，第４収容部７，１０の開放部側から容易に行なうことができる。
【００４１】
また、本実施形態は、第１，第４端子部材１１，１７の第１，第４結線部１２，１８によって、第１〜第４ケーブル３０〜３３の芯線を第１，第４収容部７，１０のそれぞれの内底部に押圧するように、第１，第４収容部７，１０に対する第１，第４結線部１２，１８の配置関係を設定してある。これにより、半田付けに際し、第１，第４端子部材１１，１７の第１，第４結線部１２，１８と、第１，第４収容部７，１０の内底部とによって第１〜第４ケーブル３０〜３３の芯線を挟持させることができ、芯線を動かないように位置決めでき、半田付けを容易に行なうことができるとともに、精度の良い第１〜第４半田付け部３４〜３７を形成することができる。
【００４２】
また、本実施形態は、第１，第２端子部材１１，１３の第１，第２結線部１２，１４と、第１，第２収容部７，８の該当するものの組み合わせを複数組並設し、かつ上下に配置してある。同様に、第３，第４端子部材１５，１７の第３，第４結線部１６，１８と、第３，第４収容部９，１０の該当するものの組み合わせを複数組並設し、かつ上下に配置してある。また、第２ハウジング部２の下側部分において、上段に並設された隣り合う第１端子部材１１の第１結線部１２と第１収容部７とのそれぞれの組を仕切る第１仕切り部７ａに対向する位置に、下段に並設された隣り合う第２端子部材１３の第２結線部１４と第２収容部８との組のそれぞれを配置してある。同様に、第２ハウジング部２の上側部分において、上段に並設された隣り合う第４端子部材１７の第４結線部１８と第４収容部１０とのそれぞれの組を仕切る第４仕切り部１０ａに対向する位置に、下段に並設された隣り合う第３端子部材１５の第３結線部１６と第３収容部９との組のそれぞれを配置してある。これにより、第２ハウジング部２の下側部分の上下に配置された第１結線部１２、第２結線部１４それぞれの間隔、及び第２ハウジング部２の上側部分の上下に配置された第４結線部１８、第３結線部１６それぞれの間隔を狭くすることが可能となり、第１〜第４結線部１２，１４，１６，１８の並設方向に沿う第２ハウジング部２の幅方向の寸法を小さくすることができる。
【００４３】
また、本実施形態は、第２ハウジング部２の下側部分において、上段に並設された第１収容部７と下段に並設された第２収容部８とを、第１，第２端子部材１１，１３の延設方向において前後にずらして配置してある。同様に、第２ハウジング部２の上側部分において、下段に並設された第３収容部９と上段に並設された第４収容部１０とを、第３，第４端子部材１５，１７の延設方向において前後にずらして配置してある。これにより、第１〜第４収容部７〜１０のそれぞれの開放部を十分に露出させることができ、第１〜第４結線部１２，１４，１６，１８と、第１〜第４ケーブル３０〜３３の芯線との該当するもの同士の半田付けが容易になり、しかも精度良く行なうことができる。
【００４４】
また、本実施形態は、第１〜第４ケーブル３０〜３３の芯線が半田付けされない第１〜第４端子部材１１，１３，１５，１７の第１〜第４結線部１２，１４，１６，１８が配置される第１〜第４収容部７〜１０を、図１４に示すように、樹脂３９ａ，３９ｂ等によって埋設してある。これにより、接続されるべきでない第１〜第４結線部１２，１４，１６，１８のうちの該当する結線部と、第１〜第４ケーブル３０〜３３の芯線とが誤って接続されてしまう誤配線を防止することができる。
【００４５】
また、本実施形態は、ハウジングの全体を、第１〜第４端子部材１１，１３，１５，１７を保持する第１ハウジング部１と、この第１ハウジング部１に装着され、第１〜第４収容部７〜１０、及び第１〜第４仕切り部７ａ〜１０ａを有する第２ハウジング部２とから成る構成にしてある。これにより、多品種のコネクタの製作を考えた場合、第１〜第４端子部材１１，１３，１５，１７を保持する第１ハウジング部１は、全ての品種の共通部材とすることができ、変更させる部材は、それぞれの品種のケーブルの配線仕様に応じた第２ハウジング部２のみとすることができるので、このような多品種の製作を簡単に行なうことができる。
【００４６】
また、第２ハウジング部２は、第１ハウジング部１の段部２１ａ，２１ｂ，２３ａ，２３ｂのそれぞれに係合するフック部２０ａ，２０ｂ，２２ａ，２２ｂを備えている。これにより、フック部２０ａ，２０ｂ，２２ａ，２２ｂを介して第２ハウジング部２を第１ハウジング部１に一体に固定することができる。
【００４７】
また、図１１に示すように、第１，第２端子部材１１，１３は、第１ハウジング部１内において第１支持部２４ａと第２支持部２４ｂの２箇所で支持させてあり、同様に、第３，第４端子部材１５，１７は、第１ハウジング部１内において第１支持部２５ａと第２支持部２５ｂの２箇所で支持させてある。これに伴い、相手側コネクタ４０への装着に際して、第１，第２端子部材１１，１３にあっては、第１支持部２４ａと第２支持部２４ｂの間の両端支持において生じる撓み変形と、第１支持部２４ｂから先端側部分の片持支持において生じる撓み変形とを組み合わせた撓み変形を確保することができる。同様に、第３，第４端子部材１５，１７にあっても、第１支持部２５ａと第２支持部２５ｂの間の両端支持において生じる撓み変形と、第１支持部２５ｂから先端側部分の片持支持において生じる撓み変形とを組み合わせた撓み変形を確保することができる。これによって、相手側コネクタ４０の第１外部端子部材４３と第１接触部５との間に、また相手側コネクタ４０の第２外部端子部材４４と第２接触部６との間に、第１〜第４端子部材１１，１３，１５，１７の撓み変形に応じたそれぞれ良好な接触圧を確保できる。また、相手側コネクタ４０へ装着する際の装着力に応じた第１〜第４端子部材１１，１３，１５，１７の撓み変形を生じさせることができ、これによって、相手側コネクタ４０の第１，第２外部端子部材４３，４４への第１，第２接触部５，６の摺接を円滑に行なわせることができる。
【符号の説明】
【００４８】
１    第１ハウジング部
２    第２ハウジング部
３    突出部
４    開口部
５    第１接触部
６    第２接触部
７    第１収容部
７ａ  第１仕切り部
８    第２収容部
８ａ  第２仕切り部
９    第３収容部
９ａ  第３仕切り部
１０    第４収容部
１０ａ  第４仕切り部
１１    第１端子部材
１１ａ  穴
１２    第１結線部
１３    第２端子部材
１３ａ  穴
１４    第２結線部
１５    第３端子部材
１５ａ  穴
１６    第３結線部
１７    第４端子部材
１７ａ  穴
１８    第４結線部
２０ａ  フック部（係合部）
２０ｂ  フック部（係合部）
２１ａ  段部
２１ｂ  段部
２２ａ  フック部（係合部）
２２ｂ  フック部（係合部）
２３ａ  段部
２３ｂ  段部
２４ａ  第１支持部
２４ｂ  第２支持部
２５ａ  第１支持部
２５ｂ  第２支持部
２９    ケーブルカバー
３０    第１ケーブル
３１    第２ケーブル
３２    第３ケーブル
３３    第４ケーブル
３４    第１半田付け部
３５    第２半田付け部
３６    第３半田付け部
３７    第４半田付け部
３８    カバー
３９ａ  樹脂
３９ｂ  樹脂
４０    相手側コネクタ
４１    開口部
４２    保持部
４３    第１外部端子部材
４４    第２外部端子部材
【図１】
2010257903.tif 000003
【図２】
2010257903.tif 000004
【図３】
2010257903.tif 000005
【図４】
2010257903.tif 000006
【図５】
2010257903.tif 000007
【図６】
2010257903.tif 000008
【図７】
2010257903.tif 000009
【図８】
2010257903.tif 000010
【図９】
2010257903.tif 000011
【図１０】
2010257903.tif 000012
【図１１】
2010257903.tif 000013
【図１２】
2010257903.tif 000014
【図１３】
2010257903.tif 000015
【図１４】
2010257903.tif 000016
【図１５】
2010257903.tif 000017
【図１６】
2010257903.tif 000018